(57)【要約】【課題】ユーザが屋内の予め決められた場所にいる場合に、ユーザの現在位置が記された屋内の地図を自動的に出力することができなかった。【解決手段】屋内の予め決められた場所に設置される１以上の送信装置であり、送信装置が設置されている屋内の場所に関する情報である設置場所関連情報が格納される設置場所関連情報格納部と、当該設置場所関連情報を取得する取得部と、当該設置場所関連情報を送信する送信部とを備える送信装置と、設置場所関連情報を受信する受信部と、受信部が設置場所関連情報を受信した場合に、当該設置場所関連情報を用いて、端末装置の現在位置が記された屋内の地図である屋内地図を示す情報である屋内地図情報を出力する出力部とを備える端末装置とを備える情報システムにより、ユーザが屋内の予め決められた場所にいる場合に、ユーザの現在位置が記された屋内の地図を自動的に出力することができる。【選択図】図１
2015152349.tif 000002
【特許請求の範囲】
【請求項１】
屋内の予め決められた場所に設置される１以上の送信装置と、端末装置とを備える情報システムであって、
前記送信装置は、
当該送信装置が設置されている屋内の場所に関する情報である設置場所関連情報が格納される設置場所関連情報格納部と、
前記設置場所関連情報を取得する取得部と、
前記取得部が取得した設置場所関連情報を送信する送信部とを備え、
前記端末装置は、
設置場所関連情報を受信する受信部と、
前記受信部が前記設置場所関連情報を受信した場合に、当該設置場所関連情報を用いて、端末装置の現在位置が記された屋内の地図である屋内地図を示す情報である屋内地図情報を出力する出力部とを備える情報システム。
【請求項２】
前記設置場所関連情報は、前記送信装置が設置されている屋内の場所を識別する情報である設置場所識別情報であり、
前記端末装置は、
設置場所識別情報に関する条件である設置場所識別条件と、屋内地図情報とが対応付いた１以上の屋内地図管理情報が格納される屋内地図管理情報格納部と、
前記受信部が受信した設置場所識別情報が満たす設置場所識別条件に対応する屋内地図情報を、前記屋内地図管理情報格納部から取得する屋内地図情報取得部とをさらに備え、
前記出力部は、
前記屋内地図情報取得部が取得した屋内地図情報を出力する請求項１記載の情報システム。
【請求項３】
前記設置場所関連情報は、前記送信装置が設置されている屋内の場所を含む屋内地図を示す屋内地図情報であり、
前記出力部は、
前記受信部が受信した屋内地図情報を出力する請求項１記載の情報システム。
【請求項４】
前記端末装置は、
屋内での使用が可能な移動体に搭載される請求項１から請求項３いずれか一項に記載の情報システム。
【請求項５】
前記出力部は、
前記受信部が設置場所関連情報を受信している場合は、前記屋内地図情報を出力し、前記受信部が設置場所関連情報を受信していない場合は、前記屋内地図情報を出力しない請求項１から請求項４いずれか一項に記載の情報システム。
【請求項６】
請求項１から請求項５いずれか一項に記載の情報システムを構成する端末装置。
【請求項７】
受信部と、出力部とを用いて行われる屋内地図出力方法であって、
前記受信部が、
送信装置が設置されている屋内の場所に関する情報である設置場所関連情報を受信する受信ステップと、
前記出力部が、
前記受信部が前記設置場所関連情報を受信した場合に、当該設置場所関連情報を用いて、現在位置が記された屋内の地図である屋内地図を示す情報である屋内地図情報を出力する出力ステップとを備える屋内地図出力方法。
【請求項８】
コンピュータを、
送信装置が設置されている屋内の場所に関する情報である設置場所関連情報を受信する受信部、
前記受信部が前記設置場所関連情報を受信した場合に、当該設置場所関連情報を用いて、現在位置が記された屋内の地図である屋内地図を示す情報である屋内地図情報を出力する出力部として機能させるためのプログラム。
【発明の詳細な説明】
【技術分野】
【０００１】
本発明は、現在位置が記された屋内の地図を出力する情報システム等に関するものである。
【背景技術】
【０００２】
従来、現在位置と共に屋内の地図を出力するアプリケーションが開発されている（非特許文献１参照）
【先行技術文献】
【非特許文献】
【０００３】
【非特許文献１】“Android向けGoogleマップ”、［online］、Google、［２０１４年２月３日検索］、インターネット［URL；http://www.google.co.jp/intl/ALL_jp/mobile/maps/］
【発明の概要】
【発明が解決しようとする課題】
【０００４】
従来のアプリケーションでは、ユーザが屋内の予め決められた場所にいる場合に、ユーザの現在位置が記された屋内の地図を自動的に出力することができなかった。
【課題を解決するための手段】
【０００５】
本第一の発明の情報システムは、屋内の予め決められた場所に設置される１以上の送信装置と、端末装置とを備える情報システムであって、送信装置は、送信装置が設置されている屋内の場所に関する情報である設置場所関連情報が格納される設置場所関連情報格納部と、設置場所関連情報を取得する取得部と、取得部が取得した設置場所関連情報を送信する送信部とを備え、端末装置は、設置場所関連情報を受信する受信部と、受信部が設置場所関連情報を受信した場合に、設置場所関連情報を用いて、端末装置の現在位置が記された屋内の地図である屋内地図を示す情報である屋内地図情報を出力する出力部とを備える情報システムである。
【０００６】
このような構成により、ユーザが屋内の予め決められた場所にいる場合に、ユーザの現在位置が記された屋内の地図を自動的に出力することができる。
【０００７】
また、本第二の発明の情報システムは、第一の発明に対して、設置場所関連情報は、送信装置が設置されている屋内の場所を識別する情報である設置場所識別情報であり、端末装置は、設置場所識別情報に関する条件である設置場所識別条件と、屋内地図情報とが対応付いた１以上の屋内地図管理情報が格納される屋内地図管理情報格納部と、受信部が受信した設置場所識別情報が満たす設置場所識別条件に対応する屋内地図情報を、屋内地図管理情報格納部から取得する屋内地図情報取得部とをさらに備え、出力部は、屋内地図情報取得部が取得した屋内地図情報を出力する情報システムである。
【０００８】
このような構成により、ユーザが屋内の予め決められた場所にいる場合に受信する設置場所識別情報に応じた屋内の地図を自動的に出力することができる。
【０００９】
また、本第三の発明の情報システムは、第一の発明に対して、設置場所関連情報は、送信装置が設置されている屋内の場所を含む屋内地図を示す屋内地図情報であり、出力部は、受信部が受信した屋内地図情報を出力する情報システムである。
【００１０】
このような構成により、ユーザが屋内の予め決められた場所にいる場合に受信する屋内地図情報を用いて屋内の地図を自動的に出力することができる。
【００１１】
また、本第四の発明の情報システムは、第一から第三いずれか１つの発明に対して、端末装置は、屋内での使用が可能な移動体に搭載される情報システムである。
【００１２】
このような構成により、ユーザが屋内での使用が可能な移動体に乗りながら、屋内の予め決められた場所に移動した場合に、ユーザの現在位置が記された屋内の地図を自動的に出力することができる。
【００１３】
また、本第五の発明の情報システムは、第一から第四いずれか１つの発明に対して、出力部は、受信部が設置場所関連情報を受信している場合は、屋内地図情報を出力し、受信部が設置場所関連情報を受信していない場合は、屋内地図情報を出力しない情報システムである。
【００１４】
このような構成により、ユーザが屋内の予め決められた場所にいる場合にのみ、ユーザの現在位置が記された屋内の地図を自動的に出力することができる。
【発明の効果】
【００１５】
本発明による情報システム等によれば、ユーザが屋内の予め決められた場所にいる場合に、ユーザの現在位置が記された屋内の地図を自動的に出力することができる。
【図面の簡単な説明】
【００１６】
【図１】実施の形態１における情報システム１の概念図
【図２】同送信装置１１および端末装置１２のブロック図
【図３】同送信装置１１の全体動作について説明するフローチャート
【図４】同端末装置１２の全体動作について説明するフローチャート
【図５】同屋内地図管理情報の例を示す図
【図６】同屋内地図情報の出力例を示す図
【図７】同屋内地図情報の出力例を示す図
【図８】同屋内地図情報の出力例を示す図
【図９】同送信装置１１および端末装置１２のブロック図
【図１０】同送信装置１１および端末装置１２のブロック図
【図１１】同送信装置１１および端末装置１２のブロック図
【図１２】上記実施の形態におけるコンピュータシステムの概観図
【図１３】上記実施の形態におけるコンピュータシステムのブロック図
【発明を実施するための形態】
【００１７】
以下、本発明による情報システム等の実施形態について図面を参照して説明する。なお、実施の形態において同じ符号を付した構成要素は同様の動作を行うので、再度の説明を省略する場合がある。また、本実施の形態において説明する各情報の形式、内容などは、あくまで例示であり、各情報の持つ意味を示すことができれば、形式、内容などは問わない。
【００１８】
（実施の形態１）
本実施の形態において、送信装置１１と端末装置１２とを備える情報システム１について説明する。送信装置１１は、設置場所関連情報を端末装置１２に送信する。また、端末装置１２は、設置場所関連情報の受信に応じて、自身の現在位置が記された屋内の地図を出力する。
【００１９】
図１は、本実施の形態における情報システム１の概念図である。図１において、１以上の送信装置１１と端末装置１２とは、通信手段１３を介して通信が可能である。送信装置１１は、例えば、いわゆる無線ＬＡＮのアクセスポイントである。また、端末装置１２は、例えば、携帯電話や、タブレット型ＰＣ、ＰＤＡなどである。また、通信手段１３は、例えば、無線または有線の通信回線であり、例えば、インターネットやイントラネット、ＬＡＮ（Ｌｏｃａｌ  Ａｒｅａ  Ｎｅｔｗｏｒｋ）、公衆電話回線網などである。また、通信手段１３は、例えば、いわゆるＷｉ−Ｆｉ（登録商標）や、Ｂｌｕｅｔｏｏｔｈ（登録商標）、赤外線通信、非接触通信などの、近距離（短距離）無線通信である。また、通信手段１３は、通常、いわゆる無線ＬＡＮであることが好適である。
【００２０】
また、１以上の送信装置１１は、通常、屋内の予め決められた場所に設置される。屋内とは、例えば、駅の構内や、ショッピングモール内、ビル内などである。また、端末装置１２は、例えば、ユーザが所持していたり、屋内での使用が可能な移動体に搭載されていたりしてもよい。屋内での走行が可能な移動体とは、例えば、セグウェイ（登録商標）や、立ち乗りスクーター、電動アシスト自転車、電動車椅子（シニアカー）、歩行補助装置（例えば、「http://www.honda.co.jp/robotics/weight/」など）などである。
【００２１】
また、図２は、本実施の形態における送信装置１１および端末装置１２のブロック図である。送信装置１１は、設置場所関連情報格納部１１１、取得部１１２、送信部１１３を備える。また、端末装置１２は、屋内地図管理情報格納部１２１、受信部１２２、屋内地図情報取得部１２３、出力部１２４を備える。
【００２２】
設置場所関連情報格納部１１１には、設置場所関連情報が格納される。設置場所関連情報とは、送信装置１１が設置されている屋内の場所（以下、適宜、設置場所とする）に関する情報である。設置場所関連情報は、例えば、設置場所識別情報や、屋内地図情報などである。
【００２３】
設置場所識別情報とは、送信装置１１の設置場所を識別する情報である。設置場所識別情報は、例えば、いわゆるＩＤや、位置情報、ＩＰアドレス、ＭＡＣアドレス、ＳＳＩＤなどである。位置情報とは、位置を示す情報である。当該位置は、通常、経緯度であるが、後述する屋内地図上の座標であってもよい。また、当該位置は、例えば、高さ（高度）を含んでいてもよい。
【００２４】
また、屋内地図情報とは、屋内の地図（以下、適宜、屋内地図とする）を示す情報である。屋内地図情報は、屋内地図を示すことができれば、その形式や内容などは、問わない。屋内地図情報は、例えば、屋内地図の画像情報である。画像情報は、例えば、ラスタデータや、ベクタデータである。画像情報がラスタデータである場合、屋内地図情報は、複数の縮尺に対応した画像情報を有していてもよい。複数の縮尺に対応した画像情報とは、例えば、同一地域について、縮尺が大きい画像情報や、縮尺が中程度の画像情報、縮尺が小さい画像情報などである。また、屋内地図情報は、地図をタイル状に分割したものであってもよい。また、屋内地図情報は、カーナビゲーションで用いられるＫＩＷＩフォーマットのものであってもよい。
【００２５】
また、設置場所関連情報格納部１１１に格納される屋内地図情報により示される屋内地図には、通常、送信装置１１の設置場所が記されている。言い換えると、設置場所関連情報格納部１１１に格納される屋内地図情報は、通常、送信装置１１の設置場所を含む屋内地図を示す情報である。また、屋内地図に記される送信装置１１の設置場所は、例えば、正確な設置場所でなくてもよい。当該設置場所は、例えば、おおよその設置場所であってもよい。
【００２６】
また、設置場所関連情報格納部１１１には、例えば、設置場所識別情報および屋内地図情報のいずれか一方または両方が格納されていてもよい。
【００２７】
取得部１１２は、設置場所関連情報を取得する。当該設置場所関連情報は、設置場所関連情報格納部１１１に格納されている設置場所関連情報である。つまり、例えば、設置場所関連情報格納部１１１に格納されている設置場所関連情報が設置場所識別情報である場合、取得部１１２は、当該設置場所識別情報を取得する。また、例えば、設置場所関連情報格納部１１１に格納されている設置場所関連情報が屋内地図情報である場合、取得部１１２は、当該屋内地図情報を取得する。
【００２８】
送信部１１３は、設置場所関連情報を送信する。当該設置場所関連情報は、取得部１１２が取得した設置場所関連情報である。また、当該送信は、通常、いわゆるブロードキャストでの送信ある。ブロードキャストでの送信とは、例えば、無線ＬＡＮのアクセスポイントによるビーコン信号の送信などと同様の送信や、送信装置１１と無線通信回線により接続されている１以上の端末装置１２への送信などである。また、当該送信は、例えば、端末装置１２からの問い合わせに応じた送信であってもよい。
【００２９】
また、送信部１１３は、通常、無線または有線の通信手段で実現されるが、放送手段で実現されてもよい。
【００３０】
屋内地図管理情報格納部１２１には、１以上の屋内地図管理情報が格納される。屋内地図管理情報とは、設置場所識別条件と、屋内地図情報とが対応付いた情報である。設置場所識別条件とは、設置場所識別情報に関する条件である。また、設置場所識別条件は、例えば、設置場所に関する条件であるとも言える。
【００３１】
また、一の屋内地図管理情報において、設置場所識別条件に対応付いている屋内地図情報により示される屋内地図には、通常、当該設置場所識別条件を満たす設置場所識別情報により識別される送信装置１１の設置場所が記されている。言い換えると、当該屋内地図情報は、通常、当該設置場所識別情報により識別される送信装置１１の設置場所を含む屋内地図を示す情報である。
【００３２】
受信部１２２は、設置場所関連情報を受信する。当該設置場所関連情報は、送信装置１１が送信している設置場所関連情報である。また、受信部１２２は、通常、無線または有線の通信手段で実現されるが、放送を受信する手段で実現されてもよい。
【００３３】
屋内地図情報取得部１２３は、設置場所識別情報が満たす設置場所識別条件に対応する屋内地図情報を、屋内地図管理情報格納部１２１から取得する。当該設置場所識別情報は、受信部１２２が受信した設置場所識別情報である。
【００３４】
例えば、設置場所識別情報が、ＩＤ「ＡＢＣ」であるとする。また、設置場所識別条件が「ＩＤ＝ＡＢＣ」であるとする。当該設置場所識別条件は、設置場所識別情報であるＩＤが「ＡＢＣ」であることを意味する。この様な場合、屋内地図情報取得部１２３は、当該設置場所識別情報が当該設置場所識別条件を満たすと判断する。そして、屋内地図情報取得部１２３は、当該設置場所識別条件に対応する屋内地図情報を取得する。
【００３５】
また、例えば、設置場所識別情報が、位置情報「（Ｎ３５．６８１２，Ｅ１３９．７６６２）」であるとする。また、設置場所識別条件が「位置＝（Ｎ３５．６８００，Ｅ１３９．７６００）〜（Ｎ３５．６８９９，Ｅ１３９．７６９９）」であるとする。当該設置場所識別条件は、設置場所識別情報である位置情報が、「（Ｎ３５．６８００，Ｅ１３９．７６００）」から「（Ｎ３５．６８９９，Ｅ１３９．７６９９）」までの範囲内であることを意味する。この様な場合、屋内地図情報取得部１２３は、当該設置場所識別情報が当該設置場所識別条件を満たすと判断する。そして、屋内地図情報取得部１２３は、当該設置場所識別条件に対応する屋内地図情報を取得する。
【００３６】
なお、設置場所識別情報がＩＰアドレスやＭＡＣアドレスなどである場合の屋内地図情報を取得する例は、上記、設置場所識別情報がＩＤや位置情報などである場合と同様であるので、説明を省略する。
【００３７】
出力部１２４は、受信部１２２が設置場所関連情報を受信した場合に、当該設置場所関連情報を用いて屋内地図情報を出力する。「設置場所関連情報を用いて屋内地図情報を出力する」とは、例えば、受信部１２２が受信した設置場所識別情報を用いて取得された屋内地図情報を出力することや、受信部１２２が受信した屋内地図情報を出力することなどである。また、当該屋内地図情報により示される屋内地図には、通常、端末装置１２の現在位置が記されている。言い換えると、当該屋内地図情報は、通常、端末装置１２の現在位置を含む屋内地図を示す情報である。また、屋内地図における端末装置１２の現在位置は、例えば、正確な現在位置でなくてもよい。当該現在位置は、例えば、おおよその現在位置であってもよい。また、端末装置１２の現在位置は、通常、端末装置１２の付近に設置されている送信装置１１の設置場所である。当該「付近」とは、例えば、端末装置１２と送信装置１１との距離が予め決められた条件を満たすほど近いことや、送信装置１１が送信している無線通信用の電波が受信可能なエリア（いわゆる通信可能エリア）内に端末装置１２が存在することなどである。
【００３８】
出力部１２４は、例えば、屋内地図情報取得部１２３が取得した屋内地図情報を出力する。また、出力部１２４は、例えば、受信部１２２が受信した屋内地図情報を出力する。
【００３９】
また、出力部１２４は、例えば、受信部１２２が設置場所関連情報を受信している場合は、屋内地図情報を出力する。また、出力部１２４は、例えば、受信部１２２が設置場所関連情報を受信していない場合は、屋内地図情報を出力しない。具体的に、例えば、受信部１２２が設置場所関連情報の受信を開始した場合に、出力部１２４は、屋内地図情報の出力を開始する。また、例えば、受信部１２２が設置場所関連情報の受信を終了した場合に、出力部１２４は、屋内地図情報の出力を終了する。さらに、例えば、端末装置１２が送信装置１１の通信可能エリア内に進入した場合に、出力部１２４は、屋内地図情報の出力を開始する。また、例えば、端末装置１２が当該通信可能エリア内から進出した場合に、出力部１２４は、屋内地図情報の出力を終了する。
【００４０】
また、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。
【００４１】
また、出力部１２４は、ディスプレイやスピーカーなどの出力デバイスを含むと考えてもよいし、含まないと考えてもよい。出力部１２４は、出力デバイスのドライバソフトまたは、出力デバイスのドライバソフトと出力デバイスなどで実現され得る。
【００４２】
なお、設置場所関連情報格納部１１１、屋内地図管理情報格納部１２１は、不揮発性の記録媒体が好適であるが、揮発性の記録媒体でも実現可能である。また、設置場所関連情報格納部１１１などに所定の情報が記憶される過程は、問わない。例えば、当該所定の情報は、記録媒体や、通信回線、入力デバイスなどを介して設置場所関連情報格納部１１１などに記憶されてもよい。
【００４３】
また、取得部１１２、屋内地図情報取得部１２３は、通常、ＭＰＵやメモリ等から実現され得る。また、取得部１１２などの処理手順は、通常、ソフトウェアで実現され、当該ソフトウェアはＲＯＭ等の記録媒体に記録されている。なお、取得部１１２などは、ハードウェア（専用回路）で実現されてもよい。
【００４４】
次に、情報システム１の全体動作について、フローチャートを用いて説明する。なお、所定の情報におけるｉ番目の情報は、「情報［ｉ］」と記載するものとする。まず、送信装置１１の全体動作について、図３のフローチャートを用いて説明する。
【００４５】
（ステップＳ３０１）送信装置１１は、図示しない送信受付部が電源ＯＮの指示を受け付けたか否かを判断する。受け付けた場合は、ステップＳ３０２に進み、そうでない場合は、ステップＳ３０１に戻る。
【００４６】
（ステップＳ３０２）送信装置１１は、電源ＯＮの処理を行う。
【００４７】
（ステップＳ３０３）取得部１１２は、設置場所関連情報格納部１１１に格納されている設置場所関連情報を取得する。
【００４８】
（ステップＳ３０４）送信部１１３は、ステップＳ３０３で取得した設置場所関連情報の送信を開始する。以降、送信部１１３は、送信装置１１の電源がＯＦＦになるまで、設置場所関連情報を定期的に送信し続ける。
【００４９】
（ステップＳ３０５）送信装置１１は、図示しない送信受付部が電源ＯＦＦの指示を受け付けたか否かを判断する。受け付けた場合は、ステップＳ３０６に進み、そうでない場合は、ステップＳ３０５に戻る。
【００５０】
（ステップＳ３０６）送信装置１１は、電源ＯＦＦの処理を行う。そして、ステップＳ３０１に戻る。
【００５１】
なお、図３のフローチャートにおいて、電源オフや処理終了の割り込みにより処理を終了してもよい。
【００５２】
次に、端末装置１２の全体動作について、図４のフローチャートを用いて説明する。なお、図４のフローチャートにおいて、屋内地図管理情報格納部１２１には、ｍ個の屋内地図管理情報が格納されているものとする。
【００５３】
（ステップＳ４０１）端末装置１２は、図示しない端末受付部が電源ＯＮの指示を受け付けたか否かを判断する。受け付けた場合は、ステップＳ４０２に進み、そうでない場合は、ステップＳ４０１に戻る。
【００５４】
（ステップＳ４０２）端末装置１２は、電源ＯＮの処理を行う。
【００５５】
（ステップＳ４０３）屋内地図情報取得部１２３は、受信部１２２が設置場所識別情報を受信したか否かを判断する。受信した場合は、ステップＳ４０４に進み、そうでない場合は、ステップＳ４０９に進む。
【００５６】
（ステップＳ４０４）屋内地図情報取得部１２３は、カウンタｉに１をセットする。
【００５７】
（ステップＳ４０５）屋内地図情報取得部１２３は、ステップＳ４０３で受信した設置場所識別情報が、屋内地図管理情報［ｉ］が有する設置場所識別条件である設置場所識別条件［ｉ］を満たすか否かを判断する。満たす場合は、ステップＳ４０６に進み、そうでない場合は、ステップＳ４０７に進む。
【００５８】
（ステップＳ４０６）屋内地図情報取得部１２３は、屋内地図管理情報［ｉ］が有する屋内地図情報である屋内地図情報［ｉ］を取得する。
【００５９】
（ステップＳ４０７）出力部１２４は、ｉがｍであるか否かを判断する。ｍである場合は、ステップＳ４１０に進み、そうでない場合は、ステップＳ４０８に進む。
【００６０】
（ステップＳ４０８）出力部１２４は、ｉを１インクリメントする。そして、ステップＳ４０５に戻る。
【００６１】
（ステップＳ４０９）出力部１２４は、受信部１２２が屋内地図情報を受信したか否かを判断する。受信した場合は、ステップＳ４１０に進み、そうでない場合は、ステップＳ４１３に進む。
【００６２】
（ステップＳ４１０）出力部１２４は、ステップＳ４０６で取得した屋内地図情報またはステップＳ４０９で受信した屋内地図情報を出力する。
【００６３】
（ステップＳ４１１）出力部１２４は、受信部１２２が設置場所関連情報を受信中であるか否かを判断する。受信中である場合は、ステップＳ４１１に戻り、そうでない場合は、ステップＳ４１２に進む。
【００６４】
（ステップＳ４１２）出力部１２４は、屋内地図情報の出力を終了する。
【００６５】
（ステップＳ４１３）端末装置１２は、図示しない端末受付部が電源ＯＦＦの指示を受け付けたか否かを判断する。受け付けた場合は、ステップＳ４１４に進み、そうでない場合は、ステップＳ４０３に戻る。
【００６６】
（ステップＳ４１４）端末装置１２は、電源ＯＦＦの処理を行う。そして、ステップＳ４０１に戻る。
【００６７】
なお、図４のフローチャートにおいて、電源オフや処理終了の割り込みにより処理を終了してもよい。
【００６８】
なお、上記で説明した情報システム１の全体動作は、あくまで一例である。つまり、情報システム１の全体動作は、上記の説明に限定されるものではない。
【００６９】
（具体例）
次に、情報システム１の動作の具体例について説明する。なお、本具体例において、送信装置１１は、無線ＬＡＮのアクセスポイント（以下、適宜、アクセスポイントＡ、アクセスポイントＢ、アクセスポイントＣなどとする）であるものとする。また、端末装置１２は、スマートフォン（以下、適宜、スマホとする）であるものとする。また、端末装置１２は、電動車椅子に搭載されているものとする。
【００７０】
（例１）
本例において、端末装置１２が屋内に設置されている送信装置１１から設置場所識別情報を受信し、当該設置場所識別情報に対応する屋内地図情報を出力する例について説明する。なお、本例において、屋内地図管理情報格納部１２１には、図５に示す屋内地図管理情報が格納されているものとする。当該屋内地図管理情報は、レコードを一意に特定するためのＩＤと、設置場所識別条件（項目名：条件）と、屋内地図情報（項目名：地図）とを有する。
【００７１】
まず、ユーザが、電動車椅子に乗りながら、ショッピングモール内を移動しているとする。そして、ユーザが、当該ショッピングモール内に設置されているアクセスポイントＡの通信エリア内に進入したとする。当該アクセスポイントＡの設置場所関連情報格納部１１１には、設置場所識別情報であるＳＳＩＤ「ＡＡＡＸＸＸ００１」が格納されており、アクセスポイントＡの送信部１１３は、当該ＳＳＩＤを通信エリア内に送信しているものとする。すると、スマホの受信部１２２は、当該ＳＳＩＤを受信する。
【００７２】
次に、屋内地図情報取得部１２３は、ＳＳＩＤ「ＡＡＡＸＸＸ００１」が図５の「ＩＤ＝０１１」の設置場所識別条件「ＳＳＩＤ＝ＡＡＡＸＸＸ００１」を満たすと判断する。そして、屋内地図情報取得部１２３は、図５の「ＩＤ＝０１１」の屋内地図情報「ＡＡＡＸＸＸ００１．ｐｎｇ」を取得する。なお、当該屋内地図情報は、屋内地図情報のファイル名であり、屋内地図情報取得部１２３は、当該ファイル名により識別されるファイル（屋内地図情報）を、屋内地図管理情報格納部１２１から取得する。
【００７３】
次に、出力部１２４は、屋内地図情報「ＡＡＡＸＸＸ００１．ｐｎｇ」を出力する。このときの様子は、例えば、図６である。図６において、屋内地図には、電動車椅子の現在位置（アクセスポイントＡの設置場所）が記されている。
【００７４】
次に、ユーザが、アクセスポイントＡの通信エリア外に進出したとする。すると、出力部１２４は、屋内地図情報の出力を終了する。
【００７５】
次に、ユーザが、ショッピングモール内に設置されているアクセスポイントＣの通信エリア内に進入したとする。当該アクセスポイントＣの設置場所関連情報格納部１１１には、設置場所識別情報であるＳＳＩＤ「ＳＳＩＤ＝ＡＡＡＸＸＸ００３」が格納されており、アクセスポイントＣの送信部１１３は、当該ＳＳＩＤを通信エリア内に送信しているものとする。すると、スマホの受信部１２２は、当該ＳＳＩＤを受信する。
【００７６】
次に、屋内地図情報取得部１２３は、ＳＳＩＤ「ＡＡＡＸＸＸ００３」が図５の「ＩＤ＝０１３」の設置場所識別条件「ＳＳＩＤ＝ＡＡＡＸＸＸ００３」を満たすと判断する。そして、屋内地図情報取得部１２３は、図５の「ＩＤ＝０１３」の屋内地図情報「ＡＡＡＸＸＸ００３．ｐｎｇ」を取得する。
【００７７】
次に、出力部１２４は、屋内地図情報「ＡＡＡＸＸＸ００３．ｐｎｇ」を出力する。このときの様子は、例えば、図７である。図７において、屋内地図には、電動車椅子の現在位置（アクセスポイントＣの設置場所）が記されている。
【００７８】
（例２）
本例において、端末装置１２が屋内に設置されている送信装置１１から屋内地図情報を受信し、当該屋内地図情報を出力する例について説明する。
【００７９】
まず、ユーザが、電動車椅子に乗りながら、ショッピングモール内を移動しているとする。そして、ユーザが、当該ショッピングモール内に設置されているアクセスポイントＥの通信エリア内に進入したとする。当該アクセスポイントＥの設置場所関連情報格納部１１１には、屋内地図情報が格納されており、アクセスポイントＥの送信部１１３は、当該屋内地図情報を通信エリア内に送信しているものとする。すると、スマホの受信部１２２は、当該屋内地図情報を受信する。
【００８０】
次に、出力部１２４は、受信部１２２が受信した屋内地図情報を出力する。このときの様子は、例えば、図８である。図８において、屋内地図には、電動車椅子の現在位置（アクセスポイントＥの設置場所）が記されている。
【００８１】
また、例１と同様に、例えば、ユーザが、アクセスポイントＥの通信エリア外に進出した場合、出力部１２４は、屋内地図情報の出力を終了する。
【００８２】
以上、本実施の形態による情報システム１によれば、ユーザが屋内の予め決められた場所にいる場合に、ユーザの現在位置が記された屋内の地図を自動的に出力することができる。また、本実施の形態による情報システム１によれば、簡易な構成で当該屋内の地図を自動的に出力することができる。これにより、ユーザは、例えば、屋内に設置されている案内図などをわざわざ見に行くことなく、屋内の予め決められた場所を通過等することにより、屋内における自身の現在位置を知ることができる。
【００８３】
なお、本実施の形態において、設置場所関連情報格納部１１１には、通常、設置場所識別情報および屋内地図情報のいずれか一方が格納される。設置場所関連情報格納部１１１に設置場所識別情報が格納される場合の送信装置１１および端末装置１２のブロック図は、図２である。また、設置場所関連情報格納部１１１に屋内地図情報が格納される場合、端末装置１２は、屋内地図管理情報格納部１２１および屋内地図情報取得部１２３を備えない。この場合の送信装置１１および端末装置１２のブロック図は、図９である。
また、本実施の形態において、端末装置１２は、例えば、判断部１２５を備えていてもよい。この場合の送信装置１１および端末装置１２のブロック図は、図１０である。また、この場合、判断部１２５は、例えば、受信部１２２が設置場所関連情報を受信したか否かを判断する。そして、出力部１２４は、判断部１２５が、受信部１２２が設置場所関連情報を受信したと判断した場合は、屋内地図情報を出力する。また、出力部１２４は、判断部１２５が、受信部１２２が設置場所関連情報を受信していないと判断した場合は、屋内地図情報を出力しない。また、上記「設置場所関連情報を受信したか否か」は、「設置場所関連情報を受信可能であるか否か」であってもよい。
具体的に、例えば、判断部１２５は、受信部１２２が設置場所識別情報を受信したか否かを判断する。そして、受信部１２２が設置場所識別情報を受信した場合、判断部１２５は、当該設置場所識別情報に対応する屋内地図情報を取得することを、屋内地図情報取得部１２３に指示する。そして、屋内地図情報取得部１２３は、当該設置場所識別情報に対応する屋内地図情報を取得する。そして、出力部１２４は、当該屋内地図情報を出力する。
また、例えば、判断部１２５は、受信部１２２が屋内地図情報を受信したか否かを判断する。そして、受信部１２２が屋内地図情報を受信した場合、判断部１２５は、当該屋内地図情報を出力することを、出力部１２４に指示する。そして、出力部１２４は、当該屋内地図情報を出力する。
また、端末装置１２が判断部１２５を備え、屋内地図管理情報格納部１２１および屋内地図情報取得部１２３を備えない場合の送信装置１１および端末装置１２のブロック図は、図１１である。
【００８４】
また、上記各実施の形態において、一の装置に存在する２以上の通信手段は、物理的に一の媒体で実現されてもよいことは言うまでもない。
【００８５】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【００８６】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【００８７】
また、上記各実施の形態における送信装置を実現するソフトウェアは、例えば、以下のようなプログラムである。つまり、このプログラムは、送信装置が設置されている屋内の場所に関する情報である設置場所関連情報が格納される設置場所関連情報格納部にアクセス可能なコンピュータを、前記設置場所関連情報を取得する取得部、前記取得部が取得した設置場所関連情報を送信する送信部として機能させるためのプログラムである。
【００８８】
また、上記各実施の形態における端末装置を実現するソフトウェアは、例えば、以下のようなプログラムである。つまり、このプログラムは、コンピュータを、送信装置が設置されている屋内の場所に関する情報である設置場所関連情報を受信する受信部、前記受信部が前記設置場所関連情報を受信した場合に、当該設置場所関連情報を用いて、現在位置が記された屋内の地図である屋内地図を示す情報である屋内地図情報を出力する出力部として機能させるためのプログラムである。
【００８９】
なお、上記プログラムにおいて、上記プログラムが実現する機能には、ハードウェアでしか実現できない機能は含まれない。
【００９０】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【００９１】
また、上記プログラムを実行するコンピュータは、単数であってもよいし、複数であってもよい。つまり、集中処理を行ってもよいし、あるいは分散処理を行ってもよい。
【００９２】
また、図１２は、前述のプログラムを実行して、前述の実施の形態の情報システム等を実現するコンピュータシステム９の概観図である。前述の実施の形態は、コンピュータハードウェア、およびその上で実行されるコンピュータプログラムで実現され得る。
【００９３】
図１２において、コンピュータシステム９は、ＣＤ−ＲＯＭドライブ９０１１を含むコンピュータ９０１と、キーボード９０２と、マウス９０３と、モニタ９０４とを備える。
【００９４】
図１３は、コンピュータシステム９のブロック図である。図１３において、コンピュータ９０１は、ＣＤ−ＲＯＭドライブ９０１１に加えて、ＭＰＵ９０１３と、ブートアッププログラム等のプログラムを記憶するためのＲＯＭ９０１４と、ＭＰＵ９０１３に接続され、アプリケーションプログラムの命令を一時的に記憶するとともに一時記憶空間を提供するためのＲＡＭ９０１５と、アプリケーションプログラム、システムプログラム、およびデータを記憶するためのハードディスク９０１５と、ＣＤ−ＲＯＭドライブ９０１１、ＭＰＵ９０１２等を相互に接続するバス９０１６とを備える。ここでは図示しないが、コンピュータ９０１は、さらに、ＬＡＮへの接続を提供するネットワークカードを備えていてもよい。
【００９５】
コンピュータシステム９に、前述の実施の形態の情報システム等の機能を実行させるプログラムは、ＣＤ−ＲＯＭ９１０１に記憶されて、ＣＤ−ＲＯＭドライブ９０１１に挿入され、さらにハードディスク９０１５に転送されてもよい。これに代えて、プログラムは、図示しないネットワークを介してコンピュータ９０１に送信され、ハードディスク９０１５に記憶されてもよい。プログラムは実行の際にＲＡＭ９０１４にロードされる。プログラムは、ＣＤ−ＲＯＭ９１０１またはネットワークから直接、ロードされてもよい。
【００９６】
プログラムは、コンピュータ９０１に、前述の実施の形態の情報システム等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【００９７】
本発明は、以上の実施の形態に限定されることなく、種々の変更が可能であり、それらも本発明の範囲内に包含されるものであることは言うまでもない。
【産業上の利用可能性】
【００９８】
以上のように、本発明にかかる情報システムは、ユーザが屋内の予め決められた場所にいる場合に、ユーザの現在位置が記された屋内の地図を自動的に出力することができるという効果を有し、情報システム等として有用である。
【符号の説明】
【００９９】
１  情報システム
１１  送信装置
１２  端末装置
１１１  設置場所関連情報格納部
１１２  取得部
１１３  送信部
１２１  屋内地図管理情報格納部
１２２  受信部
１２３  屋内地図情報取得部
１２４  出力部
【図１】
2015152349.tif 000003
【図２】
2015152349.tif 000004
【図３】
2015152349.tif 000005
【図４】
2015152349.tif 000006
【図５】
2015152349.tif 000007
【図６】
2015152349.tif 000008
【図７】
2015152349.tif 000009
【図８】
2015152349.tif 000010
【図９】
2015152349.tif 000011
【図１０】
2015152349.tif 000012
【図１１】
2015152349.tif 000013
【図１２】
2015152349.tif 000014
【図１３】
2015152349.tif 000015